(57)【要約】本発明は、発光装置のための透明なカプセル材シート（１０）の製造方法であって、前記方法は、発光装置を受け入れるため透明材料シート（１０）の一方側面に複数の穴（１２）を形成する工程であって、前記穴におけるマイクロクラックが存在するざらついた表面（１４）を形成する工程を含む工程、前記透明なカプセル材シート（１０）を形成するために、前記ざらついた表面（１４）を低粘性材料（１８）でコーティングし、これによって前記ざらついた表面（１４）のマイクロクラックを低粘性材料（１８）で充填する工程を含む製造方法。【選択図】図４
2009518779.tif 000002
【特許請求の範囲】
【請求項１】
発光装置のための透明なカプセル材シートの製造方法であって、前記方法は、発光装置を受け入れるため透明材料の一方側面に複数の穴を形成する工程であって、前記穴におけるマイクロクラックが存在するざらついた表面を形成する工程を含む工程、および前記ざらついた表面を低粘性材料でコーティングし、これによって前記ざらついた表面のマイクロクラックを低粘性材料で充填して前記透明なカプセル材シートを形成する工程を含む製造方法。
【請求項２】
前記コーティング工程の後、硬化工程において前記低粘性材料が硬化される請求項１に記載の方法。
【請求項３】
前記硬化工程は５０℃未満の温度で実行される請求項２に記載の方法。
【請求項４】
前記低粘性材料は、ＵＶ硬化および化学的硬化から選択される非熱的硬化工程の使用により硬化される請求項３に記載の方法。
【請求項５】
前記コーティング工程は、前記穴中および前記ざらついた表面上に低粘性材料を注入する工程を含む請求項１ないし４のいずれかに記載の方法。
【請求項６】
前記低粘性材料はゲッター材料を含む請求項１ないし５のいずれかに記載の方法。
【請求項７】
独立したゲッター材料が供給される請求項１ないし５のいずれかに記載の方法。
【請求項８】
前記独立したゲッター材料は前記低粘性材料上の透明層として供給される請求項７に記載の方法。
【請求項９】
それぞれ特定の機能を有する複数のゲッターが供給される請求項６ないし８のいずれかに記載の方法。
【請求項１０】
前記複数のゲッターが混合物として供給される請求項９に記載の方法。
【請求項１１】
透明ゲッター材料の複数層が前記低粘性材料上に供給される請求項８に記載の方法。
【請求項１２】
前記透明カプセル材シートは、ガラス材料、シリコン、石英またはプラスチックからなる透明シートからなる請求項１ないし１１のいずれかに記載の方法。
【請求項１３】
前記透明カプセル材シートは、０．７ないし１．５ｍｍの範囲の厚さを有する請求項１２に記載の方法。
【請求項１４】
前記穴は、０．３５ないし０．７５ｍｍの範囲の深さを有する請求項１３に記載の方法。
【請求項１５】
前記低粘性材料は前記透明カプセル材シートの屈折率との差が０．２以内の屈折率を有する請求項１ないし１４のいずれかに記載の方法。
【請求項１６】
前記低粘性材料は前記透明カプセル材シートの屈折率との差が０．１以内の屈折率を有する請求項１５に記載の方法。
【請求項１７】
前記低粘性材料は前記透明カプセル材シート屈折率と同じ屈折率を有する請求項１６に記載の方法。
【請求項１８】
前記低粘性材料は、エポキシ樹脂、シリコンジェル、炭化水素混合物またはスターチから選択される請求項１ないし１７のいずれかに記載の方法。
【請求項１９】
前記穴を形成する工程は、エッチング工程を含む請求項１ないし１８のいずれかに記載の方法。
【請求項２０】
前記エッチング工程はサンドブラストまたはビーズブラストを含む請求項１９に記載の方法。
【請求項２１】
前記低粘性材料は５０ないし１０００μｍの深さでコーティングされる請求項１ないし２０に記載の方法。
【請求項２２】
エポキシ樹脂が前記低粘性材料として使用され、前記エポキシ樹脂はエポキシと充填材を含み、前記充填材は１０μｍ以下の直径の粒子を含む請求項１８に記載の方法。
【請求項２３】
前記充填材は６ないし８μｍの粒子を含む請求項２２に記載の方法。
【請求項２４】
エポキシ樹脂が前記低粘性材料として使用され、前記エポキシ樹脂はエポキシからなる請求項１８に記載の方法。
【請求項２５】
それぞれの穴に分配される低粘性材料の量を制御するためにマイクロ分配システムがコーティング工程において使用される請求項１ないし２４のいずれかに記載の方法。
【請求項２６】
発光ディスプレイのための透明なカプセル材シートであって、前記透明なカプセル材シートは、発光構造を受け入れるために１つの側面に複数の穴を有する透明シート材料から構成され、前記穴はマイクロクラックを有するざらついた表面を有しており、前記ざらついた表面には、前記ざらついた表面のマイクロクラックを充填することによって透明に変える透明材料が配置されている透明なカプセル材シート。
【請求項２７】
前記透明材料はゲッター材料を含む請求項２６に記載の透明なカプセル材シート。
【請求項２８】
独立したゲッター材料が供給される請求項２６に記載の透明なカプセル材シート。
【請求項２９】
前記独立したゲッター材料は前記透明な材料上の透明層として供給される請求項２８に記載の透明なカプセル材シート。
【請求項３０】
特定の機能を有する複数のゲッターが供給される請求項２６ないし２９のいずれかに記載の透明なカプセル材シート。
【請求項３１】
前記複数のゲッターが混合物として供給される請求項３０に記載の透明なカプセル材シート。
【請求項３２】
前記透明な材料上に透明なゲッター材料の複数層が供給される請求項２９に記載のカプセル材シート。
【請求項３３】
前記透明なカプセル材シートは、ガラス材料、シリコン、石英またはプラスチックからなる請求項２６ないし３２のいずれかに記載の透明なカプセル材シート。
【請求項３４】
前記透明なカプセル材シートは、０．７ないし１．５ｍｍの範囲の厚さを有する請求項３３に記載の透明なカプセル材シート。
【請求項３５】
前記穴は０．３５ないし０．７５ｍｍの範囲の深さを有する請求項３４に記載の透明なカプセル材シート。
【請求項３６】
前記透明な材料は、前記透明なカプセル材シートの屈折率との差が０．２以内の屈折率を有する請求項２６ないし３５のいずれかに記載の透明なカプセル材シート。
【請求項３７】
前記透明な材料は、前記透明なカプセル材シートの屈折率との差が０．１以内の屈折率を有する請求項３６に記載の透明なカプセル材シート。
【請求項３８】
前記透明な材料は、前記透明なカプセル材シートと同じ屈折率を有する請求項３７に記載の透明なカプセル材シート。
【請求項３９】
前記透明な材料は、エポキシ樹脂、シリコンジェル、炭化水素混合物またはスターチから選択される請求項２６ないし３８のいずれかに記載の透明なカプセル材シート。
【請求項４０】
前記透明な材料は、５０ないし１０００μｍの厚さを有する請求項２６ないし３８のいずれかに記載の透明なカプセル材シート。
【請求項４１】
エポキシ樹脂が硬化される透明な材料に利用され、前記エポキシ樹脂はエポキシと充填材を含み、前記充填材は１０μｍ以下の直径を有する粒子から構成される請求項３９に記載の透明なカプセル材シート。
【請求項４２】
前記充填材は、６ないし８μｍの直径を有する請求項４１に記載の透明なカプセル材シート。
【請求項４３】
前記エポキシ樹脂は低粘性硬化可能材料に利用され、前記エポキシ樹脂はエポキシから構成される請求項３９に記載の透明なカプセル材シート。
【請求項４４】
前記透明な材料は硬化された透明な材料である請求項２６ないし４３のいずれかに記載の透明なカプセル材シート。
【請求項４５】
基板上に複数の発光構造を蒸着する工程および請求項２６ないし４４のいずれかに記載の透明なカプセル材シートを使用して複数の発光構造をカプセル化する工程を含むプリフォームの製造方法。
【請求項４６】
請求項４５に記載の方法を私用して前記プリフォームを形成する工程、および、その後、前記プリフォームを前記複数の発光構造の間の線に沿って切断して複数の発光装置を供給する工程を含む複数の発光装置を製造する方法。
【請求項４７】
基板、前記基板上に配置される複数の発光構造、および前記発光構造の上に配置される請求項２６ないし４４のいずれかに記載される透明なカプセル材シートを含むプリフォーム。
【請求項４８】
それぞれの穴内の透明材料は前記透明カプセル材シートから前期発光構造の上部表面に延びており、前記透明カプセル材シートと前記発光構造の上部表面の間の空間を完全に充填する請求項４７に記載のプリフォーム。
【請求項４９】
それぞれの穴内の前記硬化された透明材料は前記発光構造から離れて配置されている請求項４７に記載のプリフォーム。
【請求項５０】
それぞれの発光構造は、第１の極性の電荷を注入するために前記基板上に配置された第１の電極、前記第１の電極と反対の極性の第２の極性の電荷を注入するための前記第１電極上に配置される第２の電極、および前記第１および第２の電極の間に配置される発光層を含み、前記第２電極は前記発光層からの光を貫通できるように透明である請求項４７ないし４９のいずれかに記載のプリフォーム。
【請求項５１】
基板、前記基板上に配置される複数の発光構造、および前記発光構造の上に配置される透明カプセル材シートを含む発光装置であって、前記透明カプセル材シートは、前記発光構造が配置される側に穴を有する材料の透明シートを含み、前記穴はマイクロクラックを有するざらついた表面を有しており、前記ざらついた表面には、前記ざらついた表面のマイクロクラックを充填することによって透明に変える透明材料が配置されている発光装置。
【請求項５２】
前記発光構造は、第１の極性の電荷を注入するために前記基板上に配置された第１の電極、前記第１の電極と反対の極性の第２の極性の電荷を注入するための前記第１電極上に配置される第２の電極、および前記第１および第２の電極の間に配置される発光層を含み、前記第２電極は前記発光層からの光を貫通できるように透明である請求項５１に記載の発光装置。
【請求項５３】
前記発光構造は、接着剤の一部またはゲッター材料を含む前記構造の周囲において溝を有する請求項５１または５２に記載の発光装置。
【請求項５４】
基板上の複数の発光構造を蒸着する工程、前記発光構造上に低粘性材料を蒸着する工程、マイクロクラックを有するざらついた表面を有する穴を有するカプセル材シートを使用して複数の発光構造をカプセル化する工程を含むプリフォームの製造方法であって、前記低粘性材料が前記ざらついた表面を覆い、前記マイクロラックを充填し、これによって透明カプセルを形成するプリフォームの製造方法。
【請求項５５】
前記カプセル材シートを使用して前記複数の発光構造をカプセル化した後前記低粘性材料が硬化される請求項５４に記載の方法。
【発明の詳細な説明】
【技術分野】
【０００１】
本発明は、発光装置のための穴ガラスおよびその製造方法に関するものである。
【背景技術】
【０００２】
有機電子発光装置のような発光装置は、例えば、ＷＯ１３１４８およびＵＳ４５３９５０７により知られている。このような装置は図１に図示されており、通常、基板２、第１の極性の電荷を注入するための基板上に蒸着される第１電極４、前記第１の極性と反対の極性の第２の極性を有する電荷を注入するための第１電極上に蒸着された第２電極６、前記第１の電極と第２の電極の間に蒸着される有機発光層８、および前記第２電極上に蒸着されるカプセル材１０から構成される。図１に示される配列において、前記第２電極６および前記カプセル材１０は有機発光層８から発光された光が通過できるように透明である。このような配列は、上面発光装置として知られている。透明カプセル材の例は、穴を有するガラスシートが、電極および光発光層を含む光発光構造上に蒸着されるガラス缶カプセル材である。追加のカプセル材が、上面電極の上側表面上に蒸着される薄膜カプセル材の形で供給され得る。
【０００３】
上記構造の変形が知られている、第１の電極がアノードであり、第２の電極はカソードである。あるいは、第１の電極がカソードであり、第２の電極はアノードである。電荷の注入および輸送を促進するために他の層が電極と有機発光層の間に供給される。さらに、湿気および酸素を吸収し、これによって装置の寿命を延ばすために、ゲッター材料がカプセル材１０の穴の内側に蒸着され得る。
【０００４】
電極および発光層（および電荷注入および電荷輸送層のような任意の追加層）は、複数の発光画素を含むディスプレイを形成するために画素化される発光構造を構成する。画素化されたディスプレイの形成方法は公知技術である。
【０００５】
図２は、複数の電子発光装置の製造過程で製造されるプリフォームの一部を示す簡略図を示す。プリフォームは、複数の発光構造を形成するために、複数のアノード４、有機電子発光材料８およびカソード４がその上に蒸着される共通基板２を有する。共通のカプセル材１０が発光構造の上に蒸着され、接着剤またははんだ線によって基板に接着される。カプセル材１０は、複数の穴を有するシートから構成され、その穴は複数の発光構造の位置に対応する。プリフォームは、複数のカプセル化された発光装置を形成するために、複数の発光構造の間の線（図２における破線で示される）に沿って切断される。より複雑な封止構造（図示しない）が切断を容易にするために供給される。例えば、弱部の線が、例えば、溝として供給され、および／または切断および破断工程における切断の前に配列はけがかれる。
【０００６】
それぞれの発光構造は、単一のバックライトに使用されるような単一に発光要素を有することができる。あるいは、それぞれの発光構造はディスプレイを形成するために複数の画素を有することができる。
【０００７】
プリフォームは、基板上の発光構造を形成するために層を蒸着し、事前に形成されたカプセル材シートをその上に固着することにより製造される。
【０００８】
図３は、発光構造を受け入れる１つの側面上に複数の穴を有する透明シート材料を有する事前に形成されたカプセル材シート１０を示す。
【０００９】
カプセル材シートを製造する方法は図４に示されている。穴１２は、第１の工程１００において、透明シートをエッチングすることによって形成される。エッチング工程は、通常、実質的に不透明な穴１２の内側のざらついた表面１４を生成するサンドブラストによって実行される。ざらついた穴を透明な穴ガラスに転換するために、穴ガラスは、透明な表面１６を有する穴１３を形成するためにざらついた表面１４をエッチング除去するように化学的に切断される。
【特許文献１】国際公開１３１４８号パンフレット
【特許文献２】米国特許第４５３９５０７号明細書
【発明の開示】
【発明が解決しようとする課題】
【００１０】
上述の製造プロセスの問題点は、化学的切断プロセスは非常に高価であることである。さらに、化学的切断プロセスは、ガラス材料の除去を含むので、最終製品における下層の発光構造を保護するに十分な強さを有するカプセル材シートを製造するためには、最初にガラスのより厚いシートが必要とされる。しかも、切断プロセスに使用される化学品は有毒であり、環境にやさしくない。
【００１１】
本発明の目的は、発光装置の透明な穴カプセル材を製造するために製造プロセスにける上記の問題点を解決することにある。
【課題を解決するための手段】
【００１２】
本発明の第１の側面において、発光装置のための透明なカプセル材シートを製造する方法が提供され、前記方法は、発光構造を受け入れるための、透明なシート材料の１つの側面に複数の穴を形成する工程、前記穴におけるマイクロクラックを含む前記ざらついた表面を形成する工程、前記透明なカプセル材シートを形成するために、前記ざらついた表面を低粘性材料でコーティングし、これによって前記ざらついた表面のマイクロクラックを低粘性材料で充填する工程を含む。
【００１３】
本発明の第２の側面に基づいて、発光ディスプレイのための透明なカプセル材シートが提供され、前記透明なカプセル材シートは、発光構造を受け入れるために１つの側面に複数の穴を有する透明シート材料から構成され、前記穴はマイクロクラックを有するざらついた表面を有しており、前記ざらついた表面に配置され、前記ざらついた表面のマイクロクラックを充填することによって透明に変える透明材料を伴う。
【００１４】
低粘性材料とは、十分に低い粘性を有する材料を意味し、前記ざらついた表面を覆い、前記ざらついた表面のマイクロクラックを充填しこれによって前記ざらついた表面を透明に変えるように前記透明シート材料と十分低い接触角を有する。
【００１５】
マイクロクラックとは、表面の曇りをもたらす複数の小さなクラック、穴、欠陥また類似のものを意味する。
【００１６】
上記のプロセスは、透明なカプセル材シートを製造する従来の方法とは、ざらついた表面におけるマイクロクラックは、化学的切断工程で化学的に除去されるのではなく、透明材料で充填される点で相違する。現在提案されている方法は、平坦でないざらついた表面を平坦な透明な表面に変えるために除去プロセスではなく添加プロセスを使用する。さらに、現在提案されているプロセスは従来必要とされた高価な化学切断プロセスの必要をなくし、したがってコスト節減となる。本発明は、また、毒性のある高価な化学品の必要をなくし、したがってより環境にやさしく、製造プロセスにかかる作業員にとって安全である。
【００１７】
好ましくは、コーティング工程の後、低粘性材料は硬化される。低粘性材料は、硬化されたときだけでなく硬化されない状態でも透明であるが、硬化工程が行われるならば、硬化状態において透明であることだけが必須である。硬化工程が行われないならば、材料は未硬化状態においても透明でなければならない。
【００１８】
硬化工程においては、熱硬化が行われるならば、これは硬化された製品に残る波状を形成する低粘性材料内に動きをもたらす。これは不良な光学表面をもたらし、したがって低温硬化（例えば、５０℃未満）を使用することが有利であり、ＵＶ硬化または開始剤および触媒を使用する化学硬化の使用により熱硬化を避けることが好ましい。
【００１９】
任意の透明な（少なくとも硬化後）低粘性材料を使用することにより、本発明のプロセスは実現されるが、被覆された表面における屈折率の変化を最小化するために、低粘性材料の屈折率をカプセル材の屈折率に適合させると有利である。このような配列は、発光装置の特性に影響を与えるこの表面で生じる光学的効果を最小化する。好ましくは、低粘性の屈折率が適合された材料の屈折率は、カプセル材シート材料の屈折率との差が０．２以内、より好ましくは０．１以内であり、最も好ましくは、カプセル材シート材料の屈折率と同じである。低粘性材料は、第４または第５重要図に適合する屈折率でなければならない。
【００２０】
低粘性材料の例は、透明エポキシ樹脂、シリコンジェル、炭化水素混合物またはスターチである。エポキシ樹脂はナガセから市販されており、シリコンジェルはダウコーニングから市販されており、炭化水素混合物はフタバから市販されており、スターチはナショナルスターチから市販されている。
【００２１】
低粘性材料は透明な表面の形成、並びに最終装置の劣化の原因となる酸素、湿気および／または他の種を吸収するという２重の機能を実行するためにゲッター材料を含むことができる。あるいは、独立のゲッター材料が供給され得る。１つの態様において、ゲッター材料の透明層は低粘性材料の層の上に供給される。複数のゲッターが混合物または独立した材料として供給される。例えば、複数の透明なゲッター材料が蒸着され得る。適切な市販されているゲッター材料は溶液から蒸着され乾燥されるフタバ株式会社のＯｌｅＤｒｙ（商標）である。
【００２２】
好ましくは、透明なカプセル材は、ガラス材料を含む。しかしながら、本発明は、シリコン、水晶およびプラスチックのような透明材料と共に利用され得る。
【００２３】
ガラス材料の屈折率は利用されるガラスの特定の組成に応じて変化し、通常、１．４ないし２．１の範囲である。有利には、カプセル材としてガラスシートを使用するとき、低粘性硬化性材料は、硬化したとき、１．４ないし２．１の範囲、好ましくは１．５の屈折率を有する。
【００２４】
好ましくは、ガラスシートは０．７ないし１．５ｍｍの間の厚さを有する。好ましくは、穴はガラスの半分の厚さまでエッチングされる。通常のシートは１３２個の穴を有する１４インチ×１４インチである。
【００２５】
通常、穴を形成するためのエッチングプロセスは、サンドブラストまたは尿素ビーズを使用したビーズブラスティングによって実行される。しかしながら、レーザーアブレーションのような他のエッチングプロセスも利用される。
【００２６】
従来技術の方法においては、小さなマイクロクラックは化学的切断によってより除去することが容易なため、より小さなマイクロクラックを形成するために遅いサンドブラスト工程が通常利用される。また、このようなマイクロクラックは化学的に切断するのに相対的に長い時間を要する。これに対して、より大きなマイクロクラックは本発明の低粘性材料で容易に満たされるので、本発明はより迅速なサンドブラスト工程の使用を可能にする。
【００２７】
低粘性材料は、５０ないし７００μｍの深さで蒸着される（この深さは、ざらついた表面のマイクロクラックにおける材料の深さも含む）。マイクロクラックは、サンドブラストの速さおよび利用される粒子の大きさに応じて、通常５０μｍの深さである。５０μｍの深さのマイクロクラックについては、全てのマイクロクラックが充填され、平坦な表面が提供されるためには、通常１００μｍの低粘性材料の厚さが要求される。
【００２８】
１つの単純な実施態様において、コーティング工程は、穴が上を向くように穴ガラスの向きを変える工程および低粘性材料を上に向いた穴およびざらついた表面上に注ぐ工程を含む。
【００２９】
低粘度材料を分配するためには、蒸着される材料の量を制御するマイクロ分配システムが利用される。例としては、ニードルバルブ分配システムおよび楕円コイル分配システムが挙げられる。
【００３０】
通常、低粘性材料の粘度は水のそれとほぼ同じである。しかしながら、標準のサプライヤーから供給される範囲内の適切な材料を単に選ぶだけで材料の粘性および接触角を調整することが可能である。好ましくは、粘性は１０Ｅ−３  Ｐａ．Ｓ未満である。好ましくは、透明カプセル材に対する低粘性材料の接触角は２０°未満である。
【００３１】
低粘性材料としてエポキシ樹脂を使用するとき、エポキシ樹脂の濡れ角度はフィルターの大きさによって決められる。典型的なエポキシ樹脂は、エポキシ並びに粘度および樹脂の接触角および硬化された樹脂の特性を調整するための充填剤を含む（例えば、硬さ、ガラスに対する浸透性および化学的耐性）。通常、エポキシ樹脂は２０ないし３０μｍのフレークを含む。しかしながら、本発明の実施態様においては、小さいフレーク、例えば、１０μｍ未満、より好ましくは６ないし８μｍの大きさの充填材を供給することが有利である。あるいは、硬化したとき柔らかい化合物となるか、または充填材なしでもかまわない。充填材の例は、ナノ粘土、ガラスおよびシリカがある。大幅に異なる樹脂がエポキシ製造業者から市販されており、製造業者に機能スペックを供給し、これにより製造業者が機能スペックに合う樹脂を供給することにより適切な樹脂を購入することが可能である。
【００３２】
本発明の第４の側面において、本発明の第３の側面の方法を使用してプリフォームを形成する工程、および次いで複数の発光装置の間の線に沿ってプリフォームを切断して複数の発光装置を提供する工程を含む複数の発光装置を製造する方法が提供される。
【００３３】
本発明の第５の側面において、基板、前記基板上に配置される複数の発光構造、前記発光構造に上に蒸着される本発明の第２の側面の透明カプセル材シートが提供される。
【００３４】
通常、空気−固体境界における光の損失は最大４％である。したがって、発光構造の上面とカプセルガラスの間の気体穴の存在によって約８％の損失が引き起こされる。１つの配列において、それぞれの穴内の透明材料は透明シートから発光構造まで延び、これによって透明シートと発光構造の上面の間のスペースを完全に充填する。このような配列は装置における光の損失量を減らし、装置に強度を増加させる。これは、従来の配列、特に、大きな装置において生じ得る、カプセルシート材が発光構造を曲げたり、発光構造に影響を与えるのを防ぐ。曲げの問題は、３ないし７インチの大きさのディスプレイで通常生じるが、カプセル材シートに使用される材料に厚さおよび種類によって変動する。透明材料は、より強固なディスプレイにおいて発光構造の周辺の穴を完全に充填することができる。
【００３５】
透明材料は、通常、透明シートの材料の係数に対して異なる熱的拡張（ＣＴＥ）係数を有することを認識することが重要である。通常、透明材料は高いＣＴＥを有し、透明シートの材料は低いＣＴＥを有する。したがって、いくつかの実施態様において、発光構造と透明材料の間に拡張溝を提供することが有利である。もし、拡張溝が供給されないならば、透明シート材料のＣＴＥに適合する比較的低いＣＴＥを有する透明材料を選ぶことが有利である。好ましくは、ＣＴＥはガラスと同じであるべきである（３ないし９（×１０−６／℃）。
【００３６】
１つの実施態様において、各発光構造は、第１の極性の電荷を注入するための基板上に配置される第１の電極、前記第１の極性と反対の第２の極性の電荷を注入するための前記第１の電極上に配置される第２の電極、および前記第１および第２の電極の間に配置される発光層を含み、前記第２電極は前記発光層から光がこれを通過できるように透明である。
【００３７】
本発明の第６の側面において、基板、前記基板上に配置された発光構造、および前記発光構造上に配置された透明カプセルシートを含み、前記透明カプセルシートは前記発光構造が配置される側に穴を有する透明シート材料から構成され、前記穴はマイクロクラックが存在するざらついた表面を有し、硬化された透明材料が前記ざらついた表面に配置され、前記ざらついた表面のマイクロクラックを充填し、これによってざらついた表面を透明に変える発光装置が提供される。
【００３８】
本発明の第７の側面において、基板上に複数の発光構造を蒸着する工程、前記発光構造上に低粘性材料を蒸着する工程、およびマイクロクラックが存在するざらついた表面を有する穴を有するカプセル材シートを使用して前記複数の発光構造をカプセル化する工程を含み、前記低粘性材料はざらついた表面を覆い、前記マイクロクラックを充填し、これによって透明カプセル材を形成するプリフォームの製造方法が提供される。
【発明を実施するための最良の形態】
【００３９】
図５を参照すると、第１の工程３００において、穴１２はガラススシート１０をエッチングすることにより形成される。エッチング工程は、通常、実質的に不透明な穴１２の内側上のざらついた表面１４を製造するサンドブラストによって実行される。工程４００において、ざらついた穴ガラスを透明なガラスに変えるために、穴ガラスは低粘性透明エポキシ樹脂１８で覆われ、前記エポキシ樹脂はガラスに匹敵する屈折する屈折率を有する。エポキシ樹脂はざらついた表面においてマイクロクラックを充填し、ＵＶ硬化後、ざらついた表面を透明に変える。
【００４０】
図６ａを参照すると、本発明の実施態様の発光装置の平面概略図は工程４００において低粘度透明エポキシ樹脂１８で覆われた装置２０を含む。この装置の周辺は、工程４００において蒸着されるエポキシ樹脂１８の過剰な材料を受け入れる溝２２として働くこぼれ落ち溝２２である。
【００４１】
図６ｂに最もよく見られるように、発光装置の周囲は、接着剤用こぼれ落ち溝２４に加えてこぼれ落ち溝２２を含むことができる。こぼれ落ち溝は、ゲッター材料および接着材料を有する。
【００４２】
この発明は、特に、好ましい実施態様を参照して示され、記載されるが、本発明の特許請求の範囲により規定される発明の範囲から逸脱しないで、形式および細部の多様な変形がなされ得ることは当業者に明らかである。
【図面の簡単な説明】
【００４３】
【図１】上面発光型発光装置を示す。
【図２】複数の上面発光型発光装置を製造するためのプリフォームを示す。
【図３】図２に示される前記プリフォームの製造において使用する透明カプセル材シートの一部を示す。
【図４】図３に示される前記透明カプセル材シートの従来の製造方法の工程を示す。
【図５】本発明の実施態様の透明カプセル材シートの製造方法の工程を示す。
【図６ａ】本発明の実施態様の発光装置の上面図を示す。
【図６ｂ】本発明の実施態様の発光装置の断面図を示す。
【符号の説明】
【００４４】
２    基板
４    第１電極
６    第２電極
８    有機発光層
１０  カプセル材
１２  穴
１４  ざらついた表面
１８  エポキシ樹脂
２０  装置
２２  溝
２４  余分な接着剤用溝
【図１】
2009518779.tif 000003
【図２】
2009518779.tif 000004
【図３】
2009518779.tif 000005
【図４】
2009518779.tif 000006
【図５】
2009518779.tif 000007
【図６ａ】
2009518779.tif 000008
【図６ｂ】
2009518779.tif 000009
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
発光装置のための透明なカプセル材シートの製造方法であって、前記方法は、発光装置を受け入れるため透明材料の一方側面に複数の穴を形成する工程であって、前記穴におけるマイクロクラックが存在するざらついた表面を形成する工程を含む工程、および前記ざらついた表面を低粘性材料でコーティングし、これによって前記ざらついた表面のマイクロクラックを低粘性材料で充填して前記透明なカプセル材シートを形成する工程を含む製造方法。
【請求項２】
前記コーティング工程は、前記穴中および前記ざらついた表面上に低粘性材料を注入する工程を含む請求項１に記載の方法。
【請求項３】
前記低粘性材料はゲッター材料を含む請求項１または２に記載の方法。
【請求項４】
独立したゲッター材料が供給される請求項１ないし３のいずれかに記載の方法。
【請求項５】
前記独立したゲッター材料は前記低粘性材料上の透明層として供給される請求項４に記載の方法。
【請求項６】
前記透明カプセル材シートは、０．７ないし１．５ｍｍの範囲の厚さを有し、前記穴は、０．３５ないし０．７５ｍｍの範囲の深さを有する請求項１ないし５のいずれかに記載の方法。
【請求項７】
前記低粘性材料は前記透明カプセル材シートの屈折率との差が０．２以内の屈折率を有する請求項１ないし６のいずれかに記載の方法。
【請求項８】
前記低粘性材料は、エポキシ樹脂、シリコンジェル、炭化水素混合物またはスターチから選択される請求項１ないし７のいずれかに記載の方法。
【請求項９】
前記低粘性材料は５０ないし１０００μｍの深さでコーティングされる請求項１ないし８のいずれかに記載の方法。
【請求項１０】
前記低粘性材料としてエポキシ樹脂が使用され、前記エポキシ樹脂はエポキシと充填材を含み、前記充填材は１０μｍ以下の直径の粒子を含む請求項１ないし９のいずれかに記載の方法。
【請求項１１】
発光ディスプレイのための透明なカプセル材シートであって、前記透明なカプセル材シートは、発光構造を受け入れるために１つの側面に複数の穴を有する透明シート材料から構成され、前記穴はマイクロクラックを有するざらついた表面を有しており、前記ざらついた表面には、前記ざらついた表面のマイクロクラックを充填することによって透明に変える透明材料が配置されている透明なカプセル材シート。
【請求項１２】
基板上に複数の発光構造を蒸着する工程および請求項１１に記載のカプセル材シートを使用して複数の発光構造をカプセル化する工程を含むプリフォームの製造方法。
【請求項１３】
請求項１２に記載の方法を使用して前記プリフォームを形成する工程、および、その後、前記プリフォームを前記複数の発光構造の間の線に沿って切断して複数の発光装置を供給する工程を含む複数の発光装置を製造する方法。
【請求項１４】
基板、前記基板上に配置される複数の発光構造、および前記発光構造の上に配置される透明カプセル材シートを含む発光装置であって、前記透明カプセル材シートは、前記発光構造が配置される側に穴を有する材料の透明シートを含み、前記穴はマイクロクラックを有するざらついた表面を有しており、前記ざらついた表面には、前記ざらついた表面のマイクロクラックを充填することによって透明に変える透明材料が配置されている発光装置。
【請求項１５】
前記発光構造は、第１の極性の電荷を注入するために前記基板上に配置された第１の電極、前記第１の電極と反対の極性の第２の極性の電荷を注入するための前記第１電極上に配置される第２の電極、および前記第１および第２の電極の間に配置される発光層を含み、前記第２電極は前記発光層からの光を貫通できるように透明である請求項１４に記載の発光装置。
【請求項１６】
前記発光構造は、接着剤の一部またはゲッター材料を含む前記構造の周囲において溝を有する請求項１４または１５に記載の発光装置。
【国際調査報告】
2009518779.tif 000010
2009518779.tif 000011
2009518779.tif 000012